(57)【要約】【課題】従来技術の問題点を解決する歯の治療に用いるインプラント用ネジ回しを提供する。【解決手段】歯の治療に用いるインプラント用ネジ回し１は、第１のワーク部１１、摘み部１２及び第２のワーク部１３を備える。第１のワーク部１１の外端には、十字凸部１１１が設けられる。摘み部１２は、第１のワーク部１１及び第２のワーク部１３の内端に接続される。第２のワーク部１３の外端には、四角槽１３１が設けられている。摘み部１２の外側面には、摩擦力を高めるためにエンボス１２１が形成されている。摘み部１２の長さは、一般人の親指の幅に略等しい。インプラント用ネジ回し１は、ニッケル−クロム合金からなる。【選択図】図８
0003183324.tif 000002
【実用新案登録請求の範囲】
【請求項１】
第１のワーク部、摘み部及び第２のワーク部を備えた歯の治療に用いるインプラント用ネジ回しであって、
前記第１のワーク部の外端には、十字凸部を有し、
前記摘み部は、前記第１のワーク部及び前記第２のワーク部の内端に接続し、
前記第２のワーク部の外端には、四角槽を有することを特徴とする歯の治療に用いるインプラント用ネジ回し。
【請求項２】
前記摘み部の外側面には、摩擦力を高めるためのエンボスを有することを特徴とする請求項１に記載の歯の治療に用いるインプラント用ネジ回し。
【請求項３】
前記摘み部の長さは、一般人の親指の幅に略等しいことを特徴とする請求項１に記載の歯の治療に用いるインプラント用ネジ回し。
【請求項４】
前記インプラント用ネジ回しはニッケル−クロム合金からなることを特徴とする請求項１に記載の歯の治療に用いるインプラント用ネジ回し。
【考案の詳細な説明】
【技術分野】
【０００１】
本考案は、歯の治療に用いるインプラント用ネジ回しに関し、特に、十字凸部と四角槽との組み合わせによりインプラント体回転工具を形成し、摘み部の長さ及び面積が大きいため、歯科医師が指で安定的に摘んでインプラント体を回転させる過程でインプラント用ネジ回しを不用意に落としてしまうことを防ぐ、歯の治療に用いるインプラント用ネジ回しに関する。
【背景技術】
【０００２】
歯科医師は、う蝕の程度が酷い歯を治療する際、不良な歯質を除去したり、う蝕にかかった歯Ａに詰め物を詰めて治療したりするが、強引に詰め物を詰めると、詰め物が外れて歯の壁に亀裂が生じる虞があった。そのため歯科医師は、う蝕にかかった歯Ａに詰め物をして治療することができない場合、クラウン（被せ物）を被せて（図１参照）歯の見た目及び機能を回復させることが一般的である。
【０００３】
また、う蝕にかかった歯Ａに対して根管治療を施すと神経が無くなり脆くなりやすく、歯Ａが割れることを防ぐために、通常、歯科医師は、まず、歯Ａの内部に金属柱体（インプラント体Ｂ）を取り付けて歯Ａの内部に固定した後（図１参照）、クラウンＣを取り付けて歯Ａを保護する。これにより歯Ａの耐久性を高めることができる。
【０００４】
上述の金属柱体は、雄ネジ部Ｂ１及び四角ヘッドＢ２のインプラント体Ｂを有する（図２参照）。インプラント体Ｂの四角ヘッドＢ２の頂面には、十字溝Ｂ３が凹設される。インプラント体Ｂの四角ヘッドＢ２は、インプラント用ネジ回しＤの四角槽Ｄ１に対応するように嵌合され（図４参照）、インプラント体Ｂの十字溝Ｂ３は、インプラント用ネジ回しＥの十字凸部Ｅ１に対応するように嵌合される（図３参照）。インプラント用ネジ回しＤ，Ｅの他端には、エンボスを有する回転ヘッドＤ２，Ｅ２が設けられている。
【０００５】
しかし従来のインプラント体Ｂを歯Ａの内部へ入れるには、以下（１）〜（５）の問題点があった。
（１）上述のインプラント用ネジ回しＤは、四角槽Ｄ１を介してインプラント体Ｂの四角ヘッドＢ２に嵌合され（図６参照）、インプラント用ネジ回しＤによりインプラント体Ｂを回転させながら雄ネジ部Ｂ１により歯Ａ内へ螺入させるが、インプラント用ネジ回しＤの四角槽Ｄ１の外径がインプラント体Ｂの四角ヘッドＢ２より大きく、インプラント体Ｂが回転する際、歯Ａの内部の不規則面が障害となり雄ネジ部Ｂ１を確実に螺入させることができないことがあり、インプラント体Ｂが歯Ａの内部に螺入されて歯Ａに固定される効果は理想的でなかった。
（２）上述のインプラント用ネジ回しＥは、十字凸部Ｅ１を介してインプラント体Ｂの十字溝Ｂ３と嵌合され、指で力を加えてインプラント用ネジ回しＥの回転ヘッドＥ２を回転させながらインプラント体Ｂを口の一番奥の歯Ａへ螺入させる際（図７参照）、インプラント用ネジ回しＥを操作する空間が小さいため、緩んだり外れたりすることがあり、最悪の場合、インプラント用ネジ回しＥを落として患者の食道に入ってしまう虞があった。
（３）上述のインプラント用ネジ回しＤ，Ｅの回転ヘッドＤ２，Ｅ２の長さが短い上（即ち、操作面積が非常に小さい）、その長さは、インプラント用ネジ回しＤ，Ｅのユーザ（歯科医師）の親指と比べて非常に小さいため（図７参照）、インプラント用ネジ回しＤ，Ｅを摘むことが困難であり、操作が容易でなく落とし易い問題点がある。
（４）上述のインプラント体Ｂを回転させるには、２種類のインプラント用ネジ回しＤ，Ｅを交換して使用する必要があり、インプラント体Ｂをスムーズに操作して回転させ、ユーザ（歯科医師）は歯Ａの内部の不規則面に応じて頻繁に異なるインプラント用ネジ回しＤ，Ｅと交換しながらインプラント体Ｂの回転作業を行った場合、インプラント体Ｂが歯Ａの内部に螺入される作業時間が延びて作業効率に悪影響を与える。
（５）上述のインプラント用ネジ回しＤ，Ｅは、青銅めっきからなるが、その硬度が低く、損耗し易く、使用寿命が短いといった問題点を有するため、ユーザ（歯科医師）は、高価なインプラント用ネジ回しを購入する必要があった。
【０００６】
そのため、従来技術の問題点を解決する歯の治療に用いるインプラント用ネジ回しが求められていた。
【考案の概要】
【考案が解決しようとする課題】
【０００７】
本考案の主な目的は、従来技術の問題点を解決する歯の治療に用いるインプラント用ネジ回しを提供することにある。
【課題を解決するための手段】
【０００８】
上記課題を解決するために、本考案の第１の形態によれば、第１のワーク部、摘み部及び第２のワーク部を備えた歯の治療に用いるインプラント用ネジ回しであって、前記第１のワーク部の外端には、十字凸部が設けられ、前記摘み部は、前記第１のワーク部及び前記第２のワーク部の内端に接続され、前記第２のワーク部の外端には、四角槽が設けられていることを特徴とする歯の治療に用いるインプラント用ネジ回しが提供される。
【０００９】
前記摘み部の外側面には、摩擦力を高めるためにエンボスが形成されていることが好ましい。
【００１０】
前記摘み部の長さは、一般人の親指の幅に略等しいことが好ましい。
【００１１】
前記インプラント用ネジ回しはニッケル−クロム合金からなることが好ましい。
【考案の効果】
【００１２】
本考案の歯の治療に用いるインプラント用ネジ回しは、以下（１）〜（４）の効果を有する。
（１）十字凸部と四角槽とを組み合わせてインプラント体回転工具を形成し、ユーザ（歯科医師）が片手で工具を簡単に操作することができる上、インプラント体を歯の内部へ螺入するのにかかる時間を減らし、インプラント用ネジ回しの作業効率を高める。
（２）インプラント用ネジ回しは、ニッケル−クロム合金からなり、その硬度が従来の青銅めっきより大きいため、損耗し難く、使用寿命が長い長所を有し、ユーザ（歯科医師）は、インプラント用ネジ回しの購入コストを大幅に減らすことができる。
（３）インプラント用ネジ回しの摘み部の長さ及び体積が増加するため、ユーザ（歯科医師）が親指及び人差指で摘まんで持ち、ユーザ（歯科医師）がインプラント用ネジ回しを操作してインプラント体を回転させる際、インプラント用ネジ回しとインプラント体との連結を確実に行い、インプラント用ネジ回しを落としてしまうことを防ぐ。これにより、インプラント用ネジ回しが患者の食道に入ることを防ぐことができる。
（４）インプラント用ネジ回しの四角槽及び十字凸部を、インプラント体の四角ヘッド及び十字溝へ安定的に接合させたり、取り外して操作したりすることが非常に容易であるため、視力が低いユーザ（歯科医師）でも容易に操作することができる。
【図面の簡単な説明】
【００１３】
【図１】図１は、う蝕にかかった歯の内部にインプラント体を取り付けたときの状態を示す断面図である。
【図２】図２は、インプラント体を示す斜視図である。
【図３】図３は、十字凸部を有するインプラント用ネジ回しとインプラント体とを示す分解斜視図である。
【図４】図４は、四方槽を有するインプラント用ネジ回しとインプラント体とを示す分解斜視図である。
【図５】図５は、十字凸部を有するインプラント用ネジ回しを回転させながら歯の内部にインプラント体を入れるときの状態を示す模式図である。
【図６】図６は、四方槽を有するインプラント用ネジ回しを回転させながら歯の内部にインプラント体を入れるときの状態を示す模式図である。
【図７】図７は、指で力を加えてインプラント用ネジ回しを回転させながら歯の内部にインプラント体を入れるときの状態を示す模式図である。
【図８】図８は、本考案の一実施形態に係る歯の治療に用いるインプラント用ネジ回しを示す斜視図である。
【図９】図９は、本考案の一実施形態に係る歯の治療に用いるインプラント用ネジ回しを十字凸部によりインプラント体を回転させるときの状態を示す模式図である。
【図１０】図１０は、本考案の一実施形態に係る歯の治療に用いるインプラント用ネジ回しを四方槽によりインプラント体を回転させるときの状態を示す模式図である。
【考案を実施するための形態】
【００１４】
以下、本考案の実施形態について図に基づいて説明する。なお、これによって本考案が限定されるものではない。
【００１５】
図８を参照する。図８は、本考案の一実施形態に係る歯の治療に用いるインプラント用ネジ回しを示す斜視図である。図８に示すように、本考案の一実施形態に係る歯の治療に用いるインプラント用ネジ回し１は、ニッケル−クロム合金からなり、第１のワーク部１１、摘み部１２及び第２のワーク部１３を含む。第１のワーク部１１の外端には、十字凸部１１１が設けられている。摘み部１２の外側面には、摩擦力を高めるためにエンボス１２１が形成されている。摘み部１２は、第１のワーク部１１及び第２のワーク部１３の内端に接続される。摘み部１２の長さは、一般人の親指の幅に略等しい。第２のワーク部１３の外端には、四角槽１３１が設けられている。
【００１６】
図１０を参照する。図１０に示すように、ユーザがインプラント用ネジ回し１の四角槽１３１によりインプラント体Ｂを回転させる際、摘み部１２の長さが一般人の親指の幅に略等しいため、摘み面積が従来のインプラント用ネジ回しと比べて遥かに大きい。このように摘み部１２を利用すると、インプラント用ネジ回し１を容易に操作することができる。
【００１７】
本考案の一実施形態に係る歯の治療に用いるインプラント用ネジ回しは、四角槽１３１の第２のワーク部１３の外径を有し、歯Ａの内部の凹凸によりインプラント体Ｂが回転しなくなり、第１のワーク部１１の十字凸部１１１によりインプラント体Ｂを回転させ、四角槽１３１と十字凸部１１１とを一体化させることができる。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１        インプラント用ネジ回し
１１      第１のワーク部
１２      摘み部
１３      第２のワーク部
１１１    十字凸部
１２１    エンボス
１３１    四角槽
Ａ        歯
Ｂ        インプラント体
Ｂ１      雄ネジ部
Ｂ２      四角ヘッド
Ｂ３      十字溝
Ｃ        クラウン
Ｄ        インプラント用ネジ回し
Ｄ１      四角槽
Ｄ２      回転ヘッド
Ｅ        インプラント用ネジ回し
Ｅ１      十字凸部
Ｅ２      回転ヘッド
【図１】
0003183324.tif 000003
【図２】
0003183324.tif 000004
【図３】
0003183324.tif 000005
【図４】
0003183324.tif 000006
【図５】
0003183324.tif 000007
【図６】
0003183324.tif 000008
【図７】
0003183324.tif 000009
【図８】
0003183324.tif 000010
【図９】
0003183324.tif 000011
【図１０】
0003183324.tif 000012